(57)【特許請求の範囲】
【請求項１】
移動通信端末機のカバー開閉装置において、
前記移動通信端末機の一部をなすカバーのヒンジ部に回転不能に挿入され固定される多角形状のハウジングと、
前記ハウジング内に挿入され内蔵される弾性手段と、
一端に備えられた挿入軸が前記弾性手段に挿入され密着しながら前記ハウジング内に回転不能に内臓され、他端に、急傾斜面、頂部及び緩傾斜面が連続して形成されているカム面が対称して形成された回転カム軸と、
前記回転カム軸、弾性手段及びハウジングを順次的に貫通し、一端にはハウジングからの離脱を防止するようにスナップリングが締結される段付き凹み部が形成され、他端のみに、移動通信端末機の一部をなす本体の、その回転軸を中心とするほぼ多角形状の断面の前記ハウジングを挿入するための収容溝が形成されているヒンジ部に、回転不能に挿入され固定されるヒンジ片が形成されたシャフトと、
前記ヒンジ片と離隔して前記シャフトの外周面の一部に一体として突出し、端部が回転カム軸のカム面に接して移動する追従突部と、を備え、
前記ヒンジ片の外周面には突出部が形成され、前記本体のヒンジ部には前記突出部に対応する断面の凹み部が形成され、前記ヒンジ片は前記突出部が前記凹み部に挿入されることにより回転不能に固定され、
前記ヒンジ片と前記追従突部との間には、潤滑剤を供給するための空間部が形成されたことを特徴とする移動通信端末機のカバー開閉装置。
【発明の詳細な説明】
【０００１】
【発明の属する技術分野】
本発明は、移動通信端末機のカバー開閉装置に関し、更に詳しくは、円滑且つ安定的に開閉可能で、部品点数を節減することにより小型化及び生産コストの節減を可能にする移動通信端末機のカバー開閉装置に関する。
【０００２】
【従来の技術】
近年、技術の発展により携帯電話及びＰＣＳホン等に多様に適用されている移動通信端末機は、通常、カバーの機能及び開閉方法によってフリップ型端末機と、折り畳み型端末機とに区分されている。
【０００３】
このようなフリップ型端末機及び折り畳み型端末機において、端末機本体のカバーは、その端末機本体にヒンジ式によって回転可能に備えられ、このための開閉装置は、伸縮自在な弾性部材、または多数のカムを用いて構成されている。
【０００４】
【発明が解決しようとする課題】
しかしながら、最近、消費者の性向が体積、大きさの小さい移動通信端末機を求める傾向にあるため、これに応じて端末機の体積、大きさが小型化されてきた。その結果、上述した弾性部材は、開閉装置において使用される部品点数は多くないが、持続的に使用されることにより早く摩耗したり、永久に変形したりして弾性力を失うという問題点が生じていた。
【０００５】
従って、かかる問題点を克服するために、カムを用いた開閉装置が続々と開発されている。しかし、これら開閉装置は、部品点数が多いため、その構造が複雑であるのみならず、小型化される端末機に対してその体積、大きさが大きく形成されるために実用性が低下するとともに、多くの製造工程が求められるために生産性が低下するという問題点があった。
【０００６】
そこで、本発明の課題は、上述した従来技術の問題点を解消するために案出されたものであって、移動通信端末機のカバー開閉装置を構成する際に、その部品点数を低減して小型化を為し遂げ、生産性を向上させる共に、持続的な使用時にも、その開閉動作を円滑且つ安定的に行えるようにした移動通信端末機のカバー開閉装置を提供することをその目的とする。
【０００７】
【課題を解決するための手段】
かかる目的を実現するための本発明による移動通信端末機のカバー開閉装置は、前記移動通信端末機の一部をなすカバーのヒンジ部に回転不能に挿入され固定される多角形状のハウジングと、前記ハウジング内に挿入され内蔵される弾性手段と、一端に備えられた挿入軸が前記弾性手段に挿入され密着しながら前記ハウジング内に回転不能に内臓され、他端に、急傾斜面、頂部及び緩傾斜面が連続して形成されているカム面が対称して形成された回転カム軸と、前記回転カム軸、弾性手段及びハウジングを順次的に貫通し、一端にはハウジングからの離脱を防止するようにスナップリングが締結される段付き凹み部が形成され、他端のみに、移動通信端末機の一部をなす本体の、その回転軸を中心とするほぼ多角形状の断面の前記ハウジングを挿入するための収容溝が形成されているヒンジ部に、回転不能に挿入され固定されるヒンジ片が形成されたシャフトと、前記ヒンジ片と離隔して前記シャフトの外周面の一部に一体として突出し、端部が回転カム軸のカム面に接して移動する追従突部と、を備え、前記ヒンジ片の外周面には突出部が形成され、前記本体のヒンジ部には前記突出部に対応する断面の凹み部が形成され、前記ヒンジ片は前記突出部が前記凹み部に挿入されることにより回転不能に固定され、前記ヒンジ片と前記追従突部との間には、潤滑剤を供給するための空間部が形成されたことを特徴とする。
【０００８】
【発明の実施の形態】
以下、本発明の技術的特徴を具体的に具現化した本発明の好ましい実施例について、添付した例示図１〜６を参照してより詳細に説明する。
【０００９】
図面において説明される実施例は、上述した本発明の移動通信端末機の技術的特徴を携帯電話に具現化した場合を示しているが、明細書の初めに記述した様々な種類の移動通信端末機にも、携帯電話と同一の技術的範疇において本発明の技術的特徴を適用可能であり、これを本発明の請求範囲とする。以下では、すべて移動通信端末機として通称する。
【００１０】
図１は、入力キー及び送話口を備えた本体２と、本体２にヒンジ式で連結されて回動する、液晶パネル及び受話口を有するカバー６とを備える典型的な折り畳み型移動通信端末機１を例示している。この移動通信端末機１において、前記本体２のヒンジ部３と、前記カバー６のヒンジ部７とが、本発明によるカバー開閉装置１０にてヒンジ連結される。
【００１１】
前記ヒンジ部３及び７には、カバー開閉装置１０の収容溝４及び８がそれぞれ形成されている。カバー６のヒンジ部７は、カバー６が本体２上に閉まっている時は、本体２のヒンジ部３に対して大略３０〜４０°傾いた状態となり、カバー６が完全に開放された時は、本体２のヒンジ部３と平行した状態となり、この時のカバー６は、本体２に対して大略１２０(１３０°開放された状態となる。
【００１２】
図２及び図３は、本発明によるカバー開閉装置１０を詳細に示している。
【００１３】
図２及び図３に示すように、カバー開閉装置１０は、断面が多角筒、好ましくは四角筒からなるハウジング２０を含む。
【００１４】
前記ハウジング２０は、その断面が大略四角筒形状で、その一端面に後述するシャフト５０が挿通する挿通孔２１が形成され、他端面が開口した構造からなる。
【００１５】
また、前記ハウジング２０は、カバー６のヒンジ部７に形成された収容溝８に挿入され、前記カバー６と一体化するように固定される。
【００１６】
また、前記ハウジング２０内には、圧縮ばねからなる弾性手段３０が挿入され、この弾性手段３０の一端には、回転カム軸４０が備えられる。この回転カム軸４０は、その断面が前記ハウジング２０に対応する形状であり、軸方向に移動できるが回転できない状態でハウジング２０内に挿入される。したがって、回転カム軸４０、ハウジング２０及びカバー６が一体となって回転するようになる。
【００１７】
前記回転カム軸４０は、その一端に、弾性手段３０内に挿入されて回転カム軸４０の遊びを防止する挿入軸４１が突出形成され、他端には、凸凹形状の二つのカム面４２が互いに対称するように独立した形態で形成されている。この二つのカム面４２の間には、後述するシャフト５０の追従突部５３が係止される係止部４３が形成されている。そして、この回転カム軸４０の中央部には、軸方向に貫通した孔４４が形成される。
【００１８】
一方、前記回転カム軸４０と弾性手段３０が組み込まれたハウジング２０には、シャフト５０の一端が回転カム軸４０の孔４４を通じて弾性手段３０の次に挿通する挿通孔２１が形成されている。このシャフト５０は、ハウジング２０の挿通孔２１に挿通した状態で、その端部の外周面に形成された段差付きの凹み部５４にスナップリング２３が締結されることにより、ハウジング２０に固定される。
【００１９】
また、前記シャフト５０の他端には、本体２のヒンジ部３に形成された収容溝４に対応する大略四角形状に形成され、収容溝４内で回転できないように挿入されるヒンジ片５１が一体として形成される。このヒンジ片５１の外周面の所定部には、収容溝４の凹み部５に挿入されて係止される突出部５２が形成される。
【００２０】
前記ヒンジ片５１と離隔されたシャフト５０の外周面上の所定部には、回転カム軸４０のカム面４２に対応する追従突部５３がカム面４２に対向するように形成される。この追従突部５３とヒンジ片５１との間の形成された空間部は、開閉装置１０の円滑な動作のために開閉装置１０に潤滑剤を注入する時、各部品の接合部に、円滑に潤滑剤の供給が行われるように形成されたものであり、この時、ハウジング２０の両端部はシーリング（Sealing）されることが好ましい。
【００２１】
説明していない参照符号“２２”は、ハウジング２０とスナップリング２３との間に介在されたウォッシャを示すものである。このウォッシャ２２は、ハウジング２０とスナップリング２３との間の摩擦を最小化するためのものである。
【００２２】
一方、前記回転カム軸４０のカム面４２は、急傾斜面ａ、頂部ｂ及び緩傾斜面ｃが順次的に形成されている。
【００２３】
前記急傾斜面ａは、カバー６が閉まっている状態で追従突部５３に対応する面であり、カバー６が閉まっている状態でカバー６に外力を加えない以上はカバー６が自力で開放されないように急傾斜した傾斜度をもって形成されている。更に、急傾斜面ａは、この急傾斜面ａの傾斜度と、弾性手段３０の弾撥力により、追従突部５３に対して自力では相対回転が行われないようになる。また、この急傾斜面ａの末端に形成された前記頂部ｂは、カバー６に外力を加えてカバー６を開閉する時の開閉分岐点となる。また、この頂部ｂから延びた前記緩傾斜面ｃは、弾性手段３０の弾撥力により、カバー６に外力を加えなくてもカバー６が自動で開放されるように緩やかに傾斜した傾斜度をもって形成される。
【００２４】
また、前記緩傾斜面ｃの終了点と、他方のカム面の急傾斜面ａの開始点との間のカム面４２の最下端部に、一定幅を維持する係止部４３が形成されている。したがって、緩傾斜面ｃを経たシャフト５０の追従突部５３が係止部４３に挿入されることにより、カバー６がその開放された状態を維持することができるようになる。
【００２５】
添付した図４〜図６は、本発明による移動通信端末機１のカバー開閉装置１０の動作過程を示すものであって、図４は、カバー６が閉まっている状態を示す図であり、図６は、カバー６が開放された状態を示す図である。
【００２６】
図４に示すように、端末機１のカバー６が閉まっている状態では、シャフト５０の追従突部５３が回転カム軸４０の急傾斜面ａの一側面に位置するようになる。
【００２７】
これは、上述した通り、カバー６のヒンジ部７が本体２のヒンジ部３に対して大略３０(４０°傾いた状態になるため、これに対応する角度ほど回転カム軸４０が弾性手段３０を圧縮した状態で移動する。したがって、カバー６が閉まっている状態では、シャフト５０の追従突部５３が回転カム軸４０上に、図４に示したように位置するようになるのである。
【００２８】
この時の回転カム軸４０は、その一端に備えられた圧縮ばねからなる弾性手段３０により、シャフト５０の追従突部５３に加圧されて密着された状態にある。したがって、この弾性手段３０の弾撥力と急傾斜面ａの傾斜度により、カバー６に外力が加わらない以上、カバー６は本体２から自力では全く回転できない構造であり、安定した閉まり状態を維持することができる。
【００２９】
以後、使用者が端末機１を使用しようとする時に、カバー６の端部を掴んでカバー６を本体２から回転させると、外力が加わったカバー６は、添付した図５に示したように開放し始める。
【００３０】
前記のように、カバー６に外力が加わると、本体２のヒンジ部３上に固定されたシャフト５０の追従突部５３が接した回転カム軸４０は、そのカム面４２により、その一端に備えられた弾性手段３０を圧縮させ、ハウジング２０の内側に移動しながらハウジング２０及びカバー６と共に回転するようになる。
【００３１】
ところが、この時、前記シャフト５０の追従突部５３が回転カム軸４０の急傾斜面ａの頂点、即ち頂部ｂに至る前に、カバー６に加えられた外力が除去されると、元の状態に復帰しようとする弾性手段３０の弾撥力と急傾斜面ａの傾斜度により、カバー６の回転力が克服され、回転カム軸４０が開放方向と逆の方向に逆回転することにより、カバー６は最初の閉まり状態に復帰する。
【００３２】
従って、前記シャフト５０の追従突部５３が回転カム軸４０の急傾斜面ａを完全に通っていない状態でカバー６に加えられた外力が除去されると、カバー６は開かないようになるのである。
【００３３】
一方、添付した図６に示すように、カバー６が完全に開放された状態であって、使用者がカバー６を完全に回転させると、カバー６を初めとするハウジング２０と回転カム軸４０とが回転するので、前記シャフト５０の追従突部５３が、回転カム軸４０の急傾斜面ａと頂部ｂを経て緩傾斜面ｃに位置するようになる。この時、前記カバー６に加えられた外力が除去されても、回転カム軸４０の一端に備えられた弾性手段３０の弾撥力と緩傾斜面ｃの傾斜度により、カバー６が自動で完全に開放されるようになる。
【００３４】
このように、シャフト５０の追従突部５３が回転カム軸４０の急傾斜面ａと頂部ｂを経ると同時に、弾性手段３０の弾撥力がこの回転カム軸４０に作用して回転カム軸４０が追従突部５３側に押し出されることにより、追従突部５３が緩傾斜面ｃに沿って回転して回転カム軸４０の係止部４３に位置すると、回転カム４０の回転が停止するようになる。従って、前記カバー６とハウジング２０も回転カム軸４０の回転と共に滑らかに回転して、完全に開放されるのである。
【００３５】
そして、使用者が端末機１の使用を終えるためにカバー６を閉めると、回転カム軸４０がシャフト５０の追従突部５３により弾性手段３０を圧縮させながらハウジング２０内に移動し、シャフト５０の追従突部５３が前述した開放時の方向と逆方向に、回転カム軸４０の緩傾斜面ｃ、頂部ｂ及び急傾斜面ａを溯っていくように回転する。
【００３６】
この時にも、前述した開放初期時と同様に、シャフト５０の追従突部５３が緩傾斜面ｃと頂部ｂを経て急傾斜面ａに位置した状態では、カバー６に加えられた外力が除去されても、急傾斜面ａの傾斜度と弾性手段３０の弾撥力により、カバー６が自動で閉まるようになる。
【００３７】
一方、前記のように作動する開閉装置１０は、追従突部５３と、凸凹形状のカム面４２を有する回転カム軸４０とにより、カバー６の開閉時に使用者に爽やかな作動感を与える。そして、この作動を円滑にするためには、オイルやグリース（Grease）のような潤滑剤をハウジング２０内に注入してもよい。注入された潤滑剤が、シャフト５０のヒンジ片５１と追従突部５３との間の形成された空間部を通じて各部品間の接合部に円滑に流入され、各部品間の接合部が潤滑される。
【００３８】
勿論、この時、シャフト５０が挿通するハウジング２０の両端部は、ラバー材質のようなパッキング部材を用いてシーリング（Sealing）することが好ましい。
【００３９】
【発明の効果】
以上で説明したように、本発明の移動通信端末機のカバー開閉装置によれば、これを構成する部品点数を低減して小型化できるようになることにより、生産性を向上することが可能になると共に、潤滑剤の注入等により、持続的な使用時にも開閉動作を円滑且つ安定的に行うことが可能になる。
【図面の簡単な説明】
【図１】本発明によるカバー開閉装置が具現化された一般の携帯電話を示す図である。
【図２】本発明によるカバー開閉装置を示す分離斜視図である。
【図３】本発明によるカバー開閉装置が開放された状態を示す結合断面図である。
【図４】カバーが閉まっている場合のカバー開閉装置の作動状態を示す要部断面図である。
【図５】カバーが開放し始めている場合のカバー開閉装置の作動状態を示す要部断面図である。
【図６】カバーが完全に開放されている場合のカバー開閉装置の作動状態を示す要部断面図である。
【符号の説明】
１      端末機
２      本体
３      ヒンジ部
４      収容溝
５      凹み溝
６      カバー
７      ヒンジ部
８      収容溝
１０    開閉装置
２０    ハウジング
２１    挿通孔
２２    ウォッシャ
２３    スナップリング
３０    弾性手段
４０    回転カム軸
４１    挿入軸
４２    カム面
４３    係止部
４４    孔
５０    シャフト
５１    ヒンジ片
５２    突出部
５３    追従突部
５４    凹み部
ａ      急傾斜面
ｂ      頂部
ｃ      緩傾斜面
【図１】
0003739717.tif 000002
【図２】
0003739717.tif 000003
【図３】
0003739717.tif 000004
【図４】
0003739717.tif 000005
【図５】
0003739717.tif 000006
【図６】
0003739717.tif 000007